(57)【要約】【課題】ユーザが、印刷物上の文字情報やバーコード情報のコンテンツを１つのオブジェクトとして実感できるようにし、ユーザの使用感を向上させる。【解決手段】印刷物に印字された文字情報又はバーコード情報を情報読取装置１１０で光学的に読み取る際に、情報読み取りの開始、動作中、完了をユーザに報知する。また、情報読取装置をポインティングデバイスとして使用し、情報処理制御装置１２０の表示画面上の所定の箇所に情報読取装置を接触させた場合、情報処理制御装置は、情報読取装置で読み取られた情報を利用して、その表示画面上の表示位置に対応したコマンド処理を行う。例えば、情報処理制御装置がカーナビゲーション装置であり、“目的地設定”の表示箇所（コマンド実行対応表示箇所１５０）がポイントされた場合、情報処理制御装置は、情報読取装置によって所定の印刷物から読み取られた住所を利用して、経路設定を行う。【選択図】        図１１
2004303020.tif 000002
【特許請求の範囲】
【請求項１】
印刷物に印字された文字情報又はバーコード情報を光学的に読み取って、データを生成する光学情報読取手段と、前記光学情報読取手段で生成された前記データを送信する無線送信手段と、前記光学情報読取手段によって情報の読み取りを開始したこと、情報読み取り動作中であること、情報の読み取りを完了したことのうちの少なくとも１つをユーザに報知する報知手段とを有し、前記データを生成した際に、前記無線送信手段によって、前記データをリアルタイムに送信するよう構成されている情報読取装置と、
前記情報読取装置から前記データを受信する無線通信手段と、前記データの解析を行って前記データを文字情報に変換する情報解析変換手段と、前記文字情報を格納する情報格納手段と、情報の表示を行う表示手段と、前記情報読取装置の所定箇所が前記表示手段の表示画面上に接触した場合の接触位置を検出する接触位置検出手段と、コマンド実行を行うコマンド実行手段とを有し、コマンド実行用表示を所定の位置に含む表示画面を前記表示手段によって表示し、前記接触位置検出手段が、前記所定の位置に前記情報読取装置の前記所定箇所が接触したことを検出した場合、前記コマンド実行手段が、前記文字情報を利用して前記所定の位置に対応するコマンドを実行するよう構成されている情報処理制御装置とを、
有する情報読取・処理システム。
【請求項２】
印刷物に印字された文字情報又はバーコード情報を光学的に読み取って、データを生成する光学情報読取手段と、前記光学情報読取手段で生成されたデータを格納する情報格納手段と、前記情報格納手段に格納された前記データを送信する無線通信手段と、前記光学情報読取手段によって情報の読み取りを開始したこと、情報読み取り動作中であること、情報の読み取りを完了したことのうちの少なくとも１つをユーザに報知する報知手段とを有し、前記無線通信手段を介して、前記情報格納手段に格納されているデータを送信するよう構成されている情報読取装置と、
前記情報読取装置から前記データを受信する無線通信手段と、前記データの解析を行って前記データを文字情報に変換する情報解析変換手段と、情報の表示を行う表示手段と、前記情報読取装置の所定箇所が前記表示手段の表示画面上に接触した場合の接触位置を検出する接触位置検出手段と、コマンド実行を行うコマンド実行手段とを有し、コマンド実行用表示を所定の位置に含む表示画面を前記表示手段によって表示し、前記接触位置検出手段が、前記所定の位置に前記情報読取装置の前記所定箇所が接触したことを検出した場合、前記所定の位置に対応するコマンドを実行する際に必要なデータを前記情報読取装置に要求し、前記情報読取装置から前記データを受信して前記情報解析変換手段が文字情報に変換し、前記コマンド実行手段が、前記文字情報を利用して前記所定の位置に対応するコマンドを実行するよう構成されている情報処理制御装置とを、
有する情報読取・処理システム。
【請求項３】
前記情報読取装置がペン型の形状をしており、前記ペン型の形状の先端部付近に前記光学情報読取手段が設けられていることを特徴とする請求項１に記載の情報読取・処理システム。
【請求項４】
前記情報読取装置の前記報知手段が、前記ユーザに対して視覚的な報知を行なうために光を発生する視覚情報表示手段であることを特徴とする請求項１から３のいずれか１つに記載の情報読取・処理システム。
【請求項５】
前記情報読取装置の前記報知手段が、前記ユーザに対して聴覚的な報知を行うために音を発生する聴覚情報発生手段であることを特徴とする請求項１から３のいずれか１つに記載の情報読取・処理システム。
【請求項６】
前記情報読取装置の前記報知手段が、前記ユーザに対して触覚的な報知を行うために熱又は振動を発生する触覚情報発生手段であることを特徴とする請求項１から３のいずれか１つに記載の情報読取・処理システム。
【請求項７】
印刷物に印字された文字情報又はバーコード情報を光学的に読み取って、データを生成する光学情報読取手段と、前記光学情報読取手段で生成された前記データを送信する無線送信手段と、前記光学情報読取手段によって情報の読み取りを開始したこと、情報読み取り動作中であること、情報の読み取りを完了したことのうちの少なくとも１つをユーザに報知する報知手段とを有し、前記データを生成した際に、前記無線送信手段によって、前記データをリアルタイムに送信するよう構成されている情報読取装置から、前記データを受信する無線通信手段と、
前記データの解析を行って前記データを文字情報に変換する情報解析変換手段と、
前記文字情報を格納する情報格納手段と、
情報の表示を行う表示手段と、
前記情報読取装置の所定箇所が前記表示手段の表示画面上に接触した場合の接触位置を検出する接触位置検出手段と、
コマンド実行を行うコマンド実行手段とを、
有し、コマンド実行用表示を所定の位置に含む表示画面を前記表示手段によって表示し、前記接触位置検出手段が、前記所定の位置に前記情報読取装置の前記所定箇所が接触したことを検出した場合、前記コマンド実行手段が、前記文字情報を利用して前記所定の位置に対応するコマンドを実行するよう構成されている情報処理制御装置。
【請求項８】
印刷物に印字された文字情報又はバーコード情報を光学的に読み取って、データを生成する光学情報読取手段と、前記光学情報読取手段で生成されたデータを格納する情報格納手段と、前記情報格納手段に格納された前記データを送信する無線通信手段と、前記光学情報読取手段によって情報の読み取りを開始したこと、情報読み取り動作中であること、情報の読み取りを完了したことのうちの少なくとも１つをユーザに報知する報知手段とを有し、前記無線通信手段を介して、前記情報格納手段に格納されているデータを送信するよう構成されている情報読取装置から、前記データを受信する無線通信手段と、
前記データの解析を行って前記データを文字情報に変換する情報解析変換手段と、
情報の表示を行う表示手段と、
前記情報読取装置の所定箇所が前記表示手段の表示画面上に接触した場合の接触位置を検出する接触位置検出手段と、
コマンド実行を行うコマンド実行手段とを、
有し、コマンド実行用表示を所定の位置に含む表示画面を前記表示手段によって表示し、前記接触位置検出手段が、前記所定の位置に前記情報読取装置の前記所定箇所が接触したことを検出した場合、前記所定の位置に対応するコマンドを実行する際に必要なデータを前記情報読取装置に要求し、前記情報読取装置から前記データを受信して前記情報解析変換手段が文字情報に変換し、前記コマンド実行手段が、前記文字情報を利用して前記所定の位置に対応するコマンドを実行するよう構成されている情報処理制御装置。
【請求項９】
前記表示手段及び前記接触位置検出手段が、タッチパネルモニタによって構成されていることを特徴とする請求項７又は８に記載の情報処理制御装置。
【発明の詳細な説明】
【０００１】
【発明の属する技術分野】
本発明は、印刷物上の文字情報やバーコード情報などを読み取る情報読取装置と、情報読取装置で読み取った情報を利用して所定の処理を行う情報処理制御装置とにより構成される情報読取・処理システム及びそのシステムの情報処理制御装置に関する。
【０００２】
従来、紙面などに印字されている文字情報などを情報機器に入力するためには、ユーザが、キーボード、マウス、タッチパネルボタンなどの操作手段（入力手段）を用いて入力作業を行っている。また、紙面上の文字情報やバーコード情報などを、情報読取装置（スキャナ、バーコードスキャナとも呼ばれる）によって光学的に読み取り、この光学的に読み取られたデータを解析して、文字情報などに変換する技術も存在する。
【０００３】
例えば、下記の特許文献１には、名刺などに印刷されたメールアドレスをペン型スキャナでなぞることによって、ペン型スキャナが接続しているインターネットＦＡＸ機能を有するデジタル複合機にメールアドレスを入力し、デジタル複合機で原稿を読み取ることによって、原稿画像を含む当該メールアドレス宛ての電子メールを作成して送信する通信装置が開示されている。
【０００４】
また、例えば、下記の特許文献２には、携帯情報機器を用いて広告媒体に表示された情報を読み取って文字データに変換し、インターネットなどの通信ネットワークを介してナビゲーション用サーバに送信し、ナビゲーション用サーバが、その文字データを基にして目的地までの誘導経路を分析し、インターネットなどの通信ネットワークを介して携帯情報機器に誘導経路に係る情報を返信することによって、ワンタッチで瞬時に読み取られた情報に基づいて、現在地の入力なしに目的地までのナビゲーション情報が提供される技術が開示されている。
【０００５】
また、下記の非特許文献１には、印刷物上の文字をスキャンし、様々な情報機器に対して有線通信又は無線通信でスキャンした文字情報を送信することが可能なペン型スキャナが開示されている。
【０００６】
【特許文献１】
特開２００１−３０６４５７号公報
【特許文献２】
特開２００２−４８５８６号公報
【非特許文献１】
Ｗｉｓｃｏｍ社、ＱｕｉｃｋＬｉｎｋＰｅｎのカタログ
ｈｔｔｐ：／／ｗｗｗ．ｗｉｚｃｏｍｊａｐａｎ．ｃｏｍ／ｐｄｆ／ＱＬＰｃａｔａｌｏｇ．ｐｄｆ
【０００７】
【発明が解決しようとする課題】
しかしながら、上記の特許文献１、２及び非特許文献１に開示されている技術はいずれも、印刷物から情報を読み取る動作（情報読み取り動作）や、読み取った情報を他の情報機器に提供する際の動作（情報送信動作）が機械的であり、ユーザが、情報を読み取ったり情報を送信したりする動作を実感できないという問題点がある。
【０００８】
上記の問題点に鑑み、本発明は、ユーザが、印刷物上の文字情報やバーコード情報などを読み取ったり、読み取った情報を利用して所定の処理を行ったりする動作を実感できるようにし、ユーザに対して、印刷物上の文字情報やバーコード情報のコンテンツをつまみ出して移動する感覚を与え、印刷物上の文字情報やバーコード情報のコンテンツを１つのオブジェクトとして実感できるようにする情報読取・処理システム及び情報処理制御装置を提供することを目的とする。
【０００９】
【課題を解決するための手段】
上記目的を達成するため、本発明の情報読取・入力システムは、印刷物に印字された文字情報又はバーコード情報を光学的に読み取って、データを生成する光学情報読取手段と、光学情報読取手段で生成されたデータを送信する無線送信手段と、光学情報読取手段によって情報の読み取りを開始したこと、情報読み取り動作中であること、情報の読み取りを完了したことのうちの少なくとも１つをユーザに報知する報知手段とを有し、データを生成した際に、無線送信手段によって、データをリアルタイムに送信するよう構成されている情報読取装置と、情報読取装置からデータを受信する無線通信手段と、データの解析を行ってデータを文字情報に変換する情報解析変換手段と、文字情報を格納する情報格納手段と、情報の表示を行う表示手段と、情報読取装置の所定箇所が表示手段の表示画面上に接触した場合の接触位置を検出する接触位置検出手段と、コマンド実行を行うコマンド実行手段とを有し、コマンド実行用表示を所定の位置に含む表示画面を表示手段によって表示し、接触位置検出手段が、所定の位置に情報読取装置の所定箇所が接触したことを検出した場合、コマンド実行手段が、文字情報を利用して所定の位置に対応するコマンドを実行するよう構成されている情報処理制御装置とを有している。
この構成により、ユーザは、光学情報読取手段を印刷物上の文字情報やバーコード情報などに当てて読み取りを行う際に、読み取りが開始されたこと、読み取り動作を行っていること、読み取りが完了したことなどを、感覚的に認識できるようになり、また、ユーザは、印刷物上の文字情報やバーコード情報の読み取りを行った情報読取装置の所定箇所を、表示画面の所定の位置に接触させることによって、情報読取装置で読み取った情報を利用したコマンドの実行を指示できるようになり、あらかじめ情報読取装置で読み取っておいた情報を表示画面上に置く感覚で、情報処理制御装置に所望のコマンドの実行指示を行えるようになる。したがって、ユーザは、印刷物上の文字情報やバーコード情報のコンテンツを、１つのオブジェクトとして実感できるようになり、印刷物上の文字情報やバーコード情報のコンテンツを抽出して移動していることを強く実感できるようになる。
【００１０】
また、上記目的を達成するため、本発明の情報読取・処理システムは、印刷物に印字された文字情報又はバーコード情報を光学的に読み取って、データを生成する光学情報読取手段と、光学情報読取手段で生成されたデータを格納する情報格納手段と、情報格納手段に格納されたデータを送信する無線通信手段と、光学情報読取手段によって情報の読み取りを開始したこと、情報読み取り動作中であること、情報の読み取りを完了したことのうちの少なくとも１つをユーザに報知する報知手段とを有し、無線通信手段を介して、情報格納手段に格納されているデータを送信するよう構成されている情報読取装置と、情報読取装置からデータを受信する無線通信手段と、データの解析を行ってデータを文字情報に変換する情報解析変換手段と、情報の表示を行う表示手段と、情報読取装置の所定箇所が表示手段の表示画面上に接触した場合の接触位置を検出する接触位置検出手段と、コマンド実行を行うコマンド実行手段とを有し、コマンド実行用表示を所定の位置に含む表示画面を表示手段によって表示し、接触位置検出手段が、所定の位置に情報読取装置の所定箇所が接触したことを検出した場合、所定の位置に対応するコマンドを実行する際に必要なデータを情報読取装置に要求し、情報読取装置からデータを受信して情報解析変換手段が文字情報に変換し、コマンド実行手段が、文字情報を利用して所定の位置に対応するコマンドを実行するよう構成されている情報処理制御装置とを有している。
この構成により、ユーザは、光学情報読取手段を印刷物上の文字情報やバーコード情報などに当てて読み取りを行う際に、読み取りが開始されたこと、読み取り動作を行っていること、読み取りが完了したことなどを、感覚的に認識できるようになり、また、ユーザは、印刷物上の文字情報やバーコード情報の読み取りを行った情報読取装置の所定箇所を、表示画面の所定の位置に接触させることによって、情報読取装置で読み取った情報を利用したコマンドの実行を指示できるようになり、あらかじめ情報読取装置で読み取っておいた情報を表示画面上に置く感覚で、情報処理制御装置に所望のコマンドの実行指示を行えるようになる。したがって、ユーザは、印刷物上の文字情報やバーコード情報のコンテンツを、１つのオブジェクトとして実感できるようになり、印刷物上の文字情報やバーコード情報のコンテンツを抽出して移動していることを強く実感できるようになる。
【００１１】
さらに、本発明では、上記発明に加えて、情報読取装置がペン型の形状をしており、ペン型の形状の先端部付近に光学情報読取手段が設けられている。
この構成により、日頃から行っているペンでなぞる動作を行うことによって、所望の文字情報やバーコード情報の読み取りを行うことができ、ユーザは、情報の読み取り動作を行っていることをより実感することができるようになる。
【００１２】
さらに、本発明では、上記発明に加えて、情報読取装置の報知手段として、ユーザに対して視覚的な報知を行なうために光を発生する視覚情報表示手段を利用している。
この構成により、ユーザは、文字情報やバーコード情報などの読み取りに係る状態を、光の輝度の時間的変化、光の色などによって視覚的に確認することができるようになり、印刷物上の文字情報やバーコード情報のコンテンツを、１つのオブジェクトとして実感できるようになる。
【００１３】
さらに、本発明では、上記発明に加えて、情報読取装置の報知手段として、ユーザに対して聴覚的な報知を行うために音を発生する聴覚情報発生手段を利用している。
この構成により、ユーザは、文字情報やバーコード情報などの読み取りに係る状態を、音の有無、音の高低、音色などによって聴覚的に確認することができるようになり、印刷物上の文字情報やバーコード情報のコンテンツを、１つのオブジェクトとして実感できるようになる。
【００１４】
さらに、本発明では、上記発明に加えて、情報読取装置の報知手段として、ユーザに対して触覚的な報知を行うために熱又は振動を発生する触覚情報発生手段を利用している。
この構成により、ユーザは、文字情報やバーコード情報などの読み取りに係る状態を、熱や振動などによって触覚的に確認することができるようになり、印刷物上の文字情報やバーコード情報のコンテンツを、１つのオブジェクトとして実感できるようになる。
【００１５】
また、上記目的を達成するため、本発明の情報処理制御装置は、印刷物に印字された文字情報又はバーコード情報を光学的に読み取って、データを生成する光学情報読取手段と、光学情報読取手段で生成されたデータを送信する無線送信手段と、光学情報読取手段によって情報の読み取りを開始したこと、情報読み取り動作中であること、情報の読み取りを完了したことのうちの少なくとも１つをユーザに報知する報知手段とを有し、データを生成した際に、無線送信手段によって、データをリアルタイムに送信するよう構成されている情報読取装置から、データを受信する無線通信手段と、データの解析を行ってデータを文字情報に変換する情報解析変換手段と、文字情報を格納する情報格納手段と、情報の表示を行う表示手段と、情報読取装置の所定箇所が表示手段の表示画面上に接触した場合の接触位置を検出する接触位置検出手段と、コマンド実行を行うコマンド実行手段とを有し、コマンド実行用表示を所定の位置に含む表示画面を表示手段によって表示し、接触位置検出手段が、所定の位置に情報読取装置の所定箇所が接触したことを検出した場合、コマンド実行手段が、文字情報を利用して所定の位置に対応するコマンドを実行するよう構成されている。
この構成により、ユーザは、印刷物上の文字情報やバーコード情報の読み取りを行った情報読取装置の所定箇所を、表示画面の所定の位置に接触させることによって、情報読取装置で読み取った情報を利用したコマンドの実行を指示できるようになり、あらかじめ情報読取装置で読み取っておいた情報を表示画面上に置く感覚で、情報処理制御装置に所望のコマンドを実行させることが可能となる。したがって、ユーザは、印刷物上の文字情報やバーコード情報のコンテンツを、１つのオブジェクトとして実感できるようになり、印刷物上から抽出した文字情報やバーコード情報のコンテンツをあたかも表示画面上に置いているというような感覚を強く実感できるようになる。
【００１６】
また、上記目的を達成するため、本発明の情報処理制御装置は、印刷物に印字された文字情報又はバーコード情報を光学的に読み取って、データを生成する光学情報読取手段と、光学情報読取手段で生成されたデータを格納する情報格納手段と、情報格納手段に格納されたデータを送信する無線通信手段と、光学情報読取手段によって情報の読み取りを開始したこと、情報読み取り動作中であること、情報の読み取りを完了したことのうちの少なくとも１つをユーザに報知する報知手段とを有し、無線通信手段を介して、情報格納手段に格納されているデータを送信するよう構成されている情報読取装置から、データを受信する無線通信手段と、データの解析を行ってデータを文字情報に変換する情報解析変換手段と、情報の表示を行う表示手段と、情報読取装置の所定箇所が表示手段の表示画面上に接触した場合の接触位置を検出する接触位置検出手段と、コマンド実行を行うコマンド実行手段とを有し、コマンド実行用表示を所定の位置に含む表示画面を表示手段によって表示し、接触位置検出手段が、所定の位置に情報読取装置の所定箇所が接触したことを検出した場合、所定の位置に対応するコマンドを実行する際に必要なデータを情報読取装置に要求し、情報読取装置からデータを受信して情報解析変換手段が文字情報に変換し、コマンド実行手段が、文字情報を利用して所定の位置に対応するコマンドを実行するよう構成されている。
この構成により、ユーザは、印刷物上の文字情報やバーコード情報の読み取りを行った情報読取装置の所定箇所を、表示画面の所定の位置に接触させることによって、情報読取装置で読み取った情報を利用したコマンドの実行を指示できるようになり、あらかじめ情報読取装置で読み取っておいた情報を表示画面上に置く感覚で、情報処理制御装置に所望のコマンドを実行させることが可能となる。したがって、ユーザは、印刷物上の文字情報やバーコード情報のコンテンツを、１つのオブジェクトとして実感できるようになり、印刷物上から抽出した文字情報やバーコード情報のコンテンツをあたかも表示画面上に置いているというような感覚を強く実感できるようになる。
【００１７】
さらに、本発明では、上記発明に加えて、表示手段及び接触位置検出手段が、タッチパネルモニタによって構成されている。
この構成により、情報処理制御装置の表示手段及び接触位置検出手段を既存の技術で実現できるとともに、ペン型の情報読取装置の先端部付近によって指示された表示画面上の位置を、確実に特定することが可能となる。
【００１８】
【発明の実施の形態】
以下、図面を参照しながら、本発明の第１及び第２の実施の形態について説明する。本発明の第１の実施の形態では、情報読取装置１１０で光学的に読み取られた情報がリアルタイムで情報処理制御装置１２０に送られて、情報処理制御装置１２０内に保持される場合について説明し、本発明の第２の実施の形態では、情報読取装置１１０で光学的に読み取られた情報が情報読取装置１１０内に保持される場合について説明する。
【００１９】
＜第１の実施の形態＞
まず、本発明の第１の実施の形態について説明する。図１は、本発明の第１の実施の形態における情報読取・処理システムの構成を示すブロック図である。図１に示す情報読取・処理システムは、情報読取装置１１０と情報処理制御装置１２０とを有しており、情報読取装置１１０と情報処理制御装置１２０との間では、無線通信が行われる。
【００２０】
図１に示す情報読取装置１１０は、光学情報読取手段１１１、無線通信手段１１２、操作手段１１３、視覚情報表示手段１１４、聴覚情報発生手段１１５、触覚情報発生手段１１６を有している。光学情報読取手段１１１は、雑誌や新聞、書類などの印刷物上に印刷された文字や記号、図形などを光学的に読み取るための手段である。また、無線通信手段１１２は、情報処理制御装置１２０の無線通信手段１２１（後述）と無線通信を行うための手段であり、光学情報読取手段１１１で光学的に読み取られたデータを情報処理制御装置１２０に送信するための手段である。なお、無線通信の方式は特に限定されず、例えば、ブルートゥース（ｂｌｕｅｔｏｏｔｈ）や赤外線通信、無線ＬＡＮ（Ｌｏｃａｌ  Ａｒｅａ  Ｎｅｔｗｏｒｋ）通信など、様々な無線通信の方式が利用可能である。また、無線通信手段１１２は、一方向（情報読取装置１１０から情報処理制御装置１２０）のデータ送信を行えればよく、無線通信手段１１２に受信機能を設けず、送信機能のみを有する無線送信手段とすることも可能である。
【００２１】
また、操作手段１１３は、当該情報読取装置１１０を用いるユーザが情報読み取りの開始や終了などの操作を行うための手段である。操作手段１１３の一例としては、例えば、プッシュ式の操作ボタン２０３（図２を用いて後述）やダイヤル式の操作ダイヤルなどが挙げられる。また、視覚情報表示手段１１４は、情報の読み取り動作や読み取り状態、無線通信の動作などをユーザに対して視覚的に報知するための手段であり、ユーザに対して、情報を読み取っている状態や情報の読み取りが完了した状態などを光の輝度の時間的変化や光の色などの変化によって報知する。視覚情報表示手段１１４の一例としては、例えば、ＬＥＤ（Ｌｉｇｈｔ−Ｅｍｉｔｔｉｎｇ  Ｄｉｏｄｅ：発光ダイオード）２０４（図２を用いて後述）やＬＣＤ（Ｌｉｑｕｉｄ  Ｃｒｙｓｔａｌ  Ｄｉｓｐｌａｙ：液晶ディスプレイ）などが挙げられる。
【００２２】
また、聴覚情報発生手段１１５は、情報の読み取り動作や読み取り状態、無線通信の動作などをユーザに対して聴覚的に報知するための音声出力手段であり、情報を読み取っている状態や情報の読み取りが完了した状態などを音の発生によってユーザに報知する。また、触覚情報発生手段１１６は、情報の読み取り動作や読み取り状態、無線通信の動作などをユーザに対して触覚的に報知するための手段であり、情報を読み取っている状態や情報の読み取りが完了した状態などを熱や振動の変化によってユーザに報知する。なお、図１に示す構成では、視覚情報表示手段１１４、聴覚情報発生手段１１５、触覚情報発生手段１１６が光学情報読取手段１１１と接続され、光学情報読取手段１１１における情報読み取りの動作状態に従って、視覚情報表示手段１１４、聴覚情報発生手段１１５、触覚情報発生手段１１６の報知の態様が決定されるよう構成されているが、無線通信手段１１２と接続され、無線通信手段１１２の通信状態に従って報知の態様が決定されるよう構成することも可能である。
【００２３】
また、光学的なデータ読み取りの方式には、例えば、読み取り対象をなぞるようにしてセンサ部を動かすことによって読み取りを行うペンスキャナ方式、読み取り対象全体にセンサ部を当てることによって読み取りを行うハンドスキャナ方式などが存在する。本発明は、特定のスキャナ方式に限定されるものではないが、本明細書では、情報読取装置１１０をペン型とし、光学的なデータ読み取りの方式としてペンスキャナ方式を利用した場合について説明する。
【００２４】
図２は、本発明の第１の実施の形態における情報読取装置の外観を示す模式的な斜視図である。情報読取装置１１０は、例えば、図２に示すように持ち運び可能なペン型をしている。図２には、図１の光学情報読取手段１１１に対応し、光透過部材などによって構成され、ペン型の情報読取装置１１０の先端部に設けられている読取センサ部２０１、図１の操作手段１１３に対応する操作ボタン２０３、図１の視覚情報表示手段１１４に対応するＬＥＤ２０４が図示されている。
【００２５】
また、図１に示す情報処理制御装置１２０は、無線通信手段１２１、情報解析変換手段１２２、メモリ（情報格納手段）１２３、表示手段１２４、接触位置検出手段１２５、コマンド解析実行手段１２６を有している。無線通信手段１２１は、情報読取装置１１０の無線通信手段１１２と無線通信を行うための手段であり、情報読取装置１１０からデータを受信するための手段である。また、情報解析変換手段１２２は、無線通信手段１２１で受信したデータの解析を行う手段であり、文字や記号などを解析してテキスト化するＯＣＲ機能や２次元バーコードに含まれる情報を抽出する２次元バーコード解析機能などを有し、受信したデータを文字情報などに変換する。また、メモリ１２３は、情報解析変換手段１２２で変換された文字情報などを格納するための手段であり、ＲＡＭ（Ｒａｎｄｏｍ  Ａｃｃｅｓｓ  Ｍｅｍｏｒｙ）や不揮発性メモリなどによって実現可能である。
【００２６】
また、表示手段１２４は、ＬＣＤやＣＲＴ（Ｃａｔｈｏｄｅ−Ｒａｙ  Ｔｕｂｅ：陰極線管）ディスプレイなどの情報を表示する手段であり、接触位置検出手段１２５は、例えば、ペン型の情報読取装置１１０のペン先（図２に示す情報処理制御装置１２０の読取センサ部２０１が存在する一端）を表示手段１２４上に接触させた場合の接触位置を検出する手段である。この表示手段１２４及び接触位置検出手段１２５は、例えば、抵抗膜方式やアナログ容量結合方式などのタッチパネルモニタによって実現することも可能であり、情報表示用のモニタと操作手段とを組み合わせたものと言うことも可能である。また、コマンド解析実行手段１２６は、接触位置検出手段１２５で検出された表示画面上の接触位置に基づき、情報解析変換手段１２２で解析された文字情報を利用して、所望のコマンド及びそのコマンドを実行する際に必要な情報を解析し、コマンドの実行を行う手段である。このコマンドには、情報処理制御装置１２０で実行可能なあらゆる処理命令を設定することが可能である。
【００２７】
なお、情報処理制御装置１２０は、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｃｅ）、携帯電話機、ナビゲーション装置を始めとして、あらゆるコンピュータによって実現可能であり、その動作は、情報処理制御装置が所定のプログラムを実行することによって実現可能である。
【００２８】
次に、上記の図１に示す情報読取・処理システムの情報読取装置１１０及び情報処理制御装置１２０における情報読み取り時の動作（情報読み取り動作）について説明する。なお、以下では、情報処理制御装置１２０が車両に搭載されたカーナビゲーション装置と一体となっており、紙面に印刷されている住所が情報読取装置１１０で読み取られて、カーナビゲーション装置で、その住所を目的地とした経路の設定が行われる動作を一例に挙げながら説明する。
【００２９】
図３は、本発明の第１の実施の形態における情報読み取り時の情報読取装置の動作を示すフローチャートである。まず、操作手段１１３における所定の操作によって、読み取り開始の指示をユーザから受け（ステップＳ３０１）、例えば、雑誌などに印刷されている住所などの情報に対して、ユーザが読取センサ部２０１をなぞる動作を行うことによって、光学情報読取手段１１１がその情報の読み取りを開始する（ステップＳ３０２）。例えば、図１１（Ａ）には、雑誌などの印刷物に印刷されている住所をペン型の情報読取装置１１０の先端部周辺でなぞることによって、情報の読み取りが実現される様子が模式的に図示されている。
【００３０】
そして、情報読取装置１１０は、情報の読み取りが開始されたことを、例えば、視覚情報表示手段１１４から所定の発光パターンや色などを表示したり、聴覚情報発生手段１１５から所定の音声を出力したり、触覚情報発生手段１１６から熱や振動を発生したりすることによってユーザに報知する（ステップＳ３０３）。これによって、情報の読み取りを開始したことを、ユーザに対して視覚的、聴覚的、触覚的に報知することが可能となる。
【００３１】
また、情報の読み取りを行っている最中（ステップＳ３０４で“はい”）には、情報の読み取りが行われていることをユーザに報知するため、例えば、視覚情報表示手段１１４から、情報の読み取り中を示す発光の時間的変化を行ったり、所定の発光色の表示を行ったりする（ステップＳ３０５）。なお、もちろん、このステップＳ３０５の処理でも、ユーザに対して聴覚的、触覚的に情報読み取り中を示す報知を行うことも可能である。
【００３２】
また、情報入力手段１１０は、ステップＳ３０２で情報の読み取りを行って生成したデータを、無線通信手段１１２から情報処理制御装置１２０の無線通信手段１２１に対して送信する（ステップＳ３０６）。このとき、不図示の一時記憶メモリにデータをいったん格納して、情報を無線通信用の所定のフォーマットに変換するなどの動作を行う必要があるが、基本的には、少ないタイムラグで情報読み取り及び情報の無線通信がほぼ同時に行われるようにすることが好ましい。
【００３３】
操作手段１１３から読み取り終了の指示を受けたり（ステップＳ３０７）、情報の読み取りが終了したとの判断を行ったりした場合（ステップＳ３０４で“いいえ”）には、ユーザに対して情報の読み取りの開始を示す報知を行った場合と同様に、ユーザに対して情報の読み取りの完了を示す視覚的、聴覚的、触覚的な報知を行う（ステップＳ３０８）。例えば、情報の読み取り完了時に、所定の色を発光したり、所定の音を鳴らしたり、所定の振動を発生したりすることが可能である。例えば、図１１（Ｂ）には、ペン型の情報読取装置１１０による情報の読み取りが完了した際、情報読取装置１１０が、所定の発光を行ったり、所定の音声を出力したり、所定の振動を発生したりすることによって、ユーザに対して、情報の読み取りが完了したことを報知している様子が模式的に図示されている。
【００３４】
さらに、例えば、情報読取装置１１０の視覚情報表示手段１１４から所定の色の光を継続的に点灯するなどの報知を行うことによって、情報の読み取りを行い、情報処理制御装置１２０にデータを送ったことをユーザに対して継続的に報知することも可能である。なお、この処理は、情報の読み取りがすでに行われた状態か否かを、ユーザが後で確認できるようにするためのものである。
【００３５】
以上の図３に示す処理によって、情報読取装置１１０は、情報読取装置１１０を用いて読み取った情報を情報処理制御装置１２０に送信することが可能となるとともに、情報読取装置１１０における情報の読み取りの開始時、情報の読み取り中、情報の読み取りの完了時、情報の読み取り後のそれぞれの状態において、ユーザに対して視覚的、聴覚的、触覚的な報知を行うことが可能となり、ユーザは、印刷物上の文字情報やバーコード情報のコンテンツを、あたかも１つのオブジェクトであるかのように感じることができ、印刷物上に平面的に印刷された読み取り対象に含まれるコンテンツを、１つのオブジェクトとして印刷物上からつまみ出す感覚を実感することができる。
【００３６】
また、図４は、本発明の第１の実施の形態における情報読み取り時の情報処理制御装置の動作を示すフローチャートである。情報処理制御装置１２０は、図３のステップＳ３０６で情報読取装置１１０から送られてきたデータを受信する（Ｓ４０１）。そして、このデータを解析して文字情報に変換し（Ｓ４０２）、変換後の文字情報をメモリ１２３に格納する（Ｓ４０３）。
【００３７】
以上の図４に示す処理によって、情報処理制御装置１２０は、情報読取装置１１０から受けたデータを文字情報に変換して、メモリ１２３に格納することが可能となる。
【００３８】
次に、上記の図１に示す情報読取・処理システムの情報読取装置１１０及び情報処理制御装置１２０におけるコマンド実行時の動作（情報送信動作）について説明する。図５は、本発明の第１の実施の形態におけるコマンド実行時の情報処理制御装置の動作を示すフローチャートである。まず、情報処理制御装置１２０は、所望のコマンドを実行するための所定の表示を行う（ステップＳ５０１）。これは、例えば、情報処理制御装置１２０がカーナビゲーション装置の場合には、ユーザがタッチパネルモニタから入力操作を行って、表示画面上の所定の位置に“目的地設定”などの画面表示を行うようにする処理である。また、情報読取装置１１０から受信したデータを解析して文字情報に変換し、メモリ１２３に格納した場合に、その文字情報の種類（例えば、住所、電話番号などの内容や、日本語、英語などの言語）を解析し、文字情報を利用して実行される可能性がある動作（例えば、所定の住所への経路設定やその場所に係る情報の表示、所定の電話番号への通話や電話番号に係る住所検索、言語の翻訳など）を支持入力できるような表示画面を自動的に表示することも可能である。
【００３９】
そして、ユーザが情報読取装置１１０の先端（ペン先）を表示画面上の“目的地設定”に接触させた場合、その接触位置を検出し（ステップＳ５０２）、その接触位置から、実行すべきコマンドの解析を行う（ステップＳ５０３）。例えば、“目的地設定”の表示位置に情報読取装置１１０のペン先が触れた場合、接触位置検出手段１２５がその接触位置を検出して、コマンド解析実行手段１２６がユーザから“目的地設定”の指示を受けたと判断する。例えば、図１１（Ｃ）には、ペン型の情報読取装置１１０の先端部周辺を、情報処理制御装置１２０の表示画面上の所定のコマンドを実行するための指示箇所となるコマンド実行対応表示箇所１５０に接触させている様子が模式的に図示されている。なお、この場合、情報読取装置１１０は、後述のステップＳ６０２に示す処理によって、所定の発光、所定の音声出力、所定の振動発生を行うが、この報知の様子も図１１（Ｃ）に模式的に図示されている。
【００４０】
また、情報読取装置１１０のペン先が表示画面に触れた場合にのみ接触位置の検出が行われ、その他の部材が接触しても接触位置の検出が行われないよう、接触位置検出手段１２５は、情報読取装置１１０のペン先を判別することも可能である。例えば、電磁誘導方式や静電結合方式のタッチパネルを用いることによって、情報読取装置１１０のペン先によるタッチ入力のみで動作を行うようすることも可能である。
【００４１】
そして、コマンド解析実行手段１２６は、情報読取装置１１０で生成されたデータが変換されて格納されている、コマンドの実行に必要な文字情報をメモリ１２３から読み出して（ステップＳ５０４）、メモリ１２３から読み出した文字情報（例えば、情報読取装置１１０で読み取られた住所）を利用して、例えば“目的地設定”コマンドを実行し、所定の住所を目的地とした経路設定及び経路案内を行う（ステップＳ５０５）。例えば、図１１（Ｄ）には、情報処理制御装置１２０において、経路設定が行われ、表示画面上に目的地までの経路が表示されている様子が模式的に図示されている。また、ステップＳ５０４でメモリ１２３から読み出した文字情報をメモリ１２３から削除して（ステップＳ５０６）、その文字情報を使用及び削除したことを情報読取装置１１０に通知する（ステップＳ５０７）。
【００４２】
以上の図５に示す処理によって、ユーザが、情報読取装置１１０の先端（ペン先）を表示画面上の所定の位置に接触させた場合には、前もって情報読取装置１１０で読み取った情報を利用して、接触位置となるコマンド実行対応表示箇所１５０に応じたコマンドを実行することによって、ユーザは、情報読取装置１１０のペン先で表示画面をタッチして、情報読取装置１１０で読み取った情報を情報処理制御装置１２０に表示画面上に置いているような感覚を味わうことができる。したがって、ユーザは、印刷物上から読み込んだ文字情報やバーコード情報のコンテンツをあたかも１つのオブジェクトであるかのように感じることができ、印刷物上に平面的に印刷された読み取り対象に含まれるコンテンツを、１つのオブジェクトとして印刷物上からつまみ出して、情報処理制御装置１２０に移動する感覚を実感することができる。
【００４３】
また、図６は、本発明の第１の実施の形態におけるコマンド実行時の情報読取装置の動作を示すフローチャートである。情報読取装置１１０は、図５のステップＳ５０７で情報処理制御装置１２０から送られてきた文字情報の使用及び削除の通知を受信して（ステップＳ６０１）、この通知に応じて、ユーザに対して視覚的、聴覚的、触覚的な報知を行う（ステップＳ６０２）。
【００４４】
以上の図６に示す処理によって、情報処理制御装置１２０で文字情報が使用及び削除されたことが情報読取装置１１０にフィードバックされて、情報読取装置１１０において、文字情報が使用及び削除されたことが判るような報知をユーザに対して行うことが可能となる。
【００４５】
＜第２の実施の形態＞
続いて、本発明の第２の実施の形態について説明する。図７は、本発明の第２の実施の形態における情報読取・処理システムの構成を示すブロック図である。図７に示す情報読取・処理システムは、図１と同様に情報読取装置２１０と情報処理制御装置２２０とを有している。図７に示す情報読取・処理システムと図１に示す情報読取・処理システムとを比較した場合、光学情報読取手段１１１で読み取られたデータを格納するメモリ（情報格納手段）２１７が図７に示す情報読取装置２１０に新たに設けられている一方、図１に示す情報処理制御装置１２０に設けられているメモリ１２３が除去されている。なお、図１に示す情報読取・処理システムと図７に示す情報読取・処理システムとの間で機能が同一の手段には、同一の符号を付しており、その説明は省略する。
【００４６】
まず、上記の図７に示す情報読取・処理システムの情報読取装置２１０における情報読み取り時の動作について説明する。図８は、本発明の第２の実施の形態における情報読み取り時の情報読取装置の動作を示すフローチャートである。この図８に示すフローチャートは、図３に示すフローチャートの情報処理制御装置１２０にデータを送信するステップＳ３０６に代えて、読み取ったデータをメモリ２１７に格納する処理（ステップＳ８０６）を有している。なお、図８に示すステップＳ８０１〜Ｓ８０５及びステップＳ８０７〜Ｓ８０８では、図３に示すステップＳ３０１〜Ｓ３０５及びステップＳ３０７〜Ｓ３０８と同一の処理を行うので、その説明は省略する。
【００４７】
なお、本発明の第１の実施の形態では、ステップＳ３０６で情報処理制御装置１２０にデータを送信しているが、本発明の第２の実施の形態では、ステップＳ３０６に代えて、読み取ったデータをメモリ２１７に格納する処理（ステップＳ８０６）を行うので、本発明の第２の実施の形態では、情報読み取り時には情報読取装置２１０のメモリ２１７にデータが格納されることとなり、情報読み取り時に、情報読取装置２１０から情報処理制御装置２２０に対してデータが送信されることはない。また、この図８に示すフローチャートに従った処理によっても、図３に示すフローチャートの処理と同様に、ユーザは、印刷物上の文字情報やバーコード情報のコンテンツを、あたかも１つのオブジェクトであるかのように感じることができ、印刷物上に平面的に印刷された読み取り対象に含まれるコンテンツを、１つのオブジェクトとして印刷物上からつまみ出す感覚を実感することができる。
【００４８】
次に、上記の図７に示す情報読取・処理システムの情報読取装置２１０及び情報処理制御装置２２０におけるコマンド実行時の動作について説明する。図９は、本発明の第２の実施の形態におけるコマンド実行時の情報処理制御装置の動作を示すフローチャートである。まず、図９に示すステップＳ９０１〜Ｓ９０３において、図５に示すステップＳ５０１〜Ｓ５０３と同一の処理を行う。すなわち、所定の表示を行い、情報読取装置２１０の先端（ペン先）の表示画面上における接触位置を検出して、その接触位置に対応するコマンドを解析する。
【００４９】
次に、コマンド解析実行手段１２６は、無線通信手段１２１を通じて、情報読取装置２１０に対して、コマンドの実行に必要なデータの送信を要求し（ステップＳ９０４）、情報読取装置２１０から所望のデータを受信する（ステップＳ９０５）。そして、このデータを解析して文字情報に変換し（ステップＳ９０６）、変換後の文字情報を利用してコマンドを実行する（ステップＳ９０７）。
【００５０】
以上の図９に示す処理によって、ユーザが、情報読取装置２１０の先端（ペン先）を表示画面上の所定の位置（コマンド実行対応表示箇所１５０）に接触させた場合には、情報読取装置２１０に対してデータを要求して受信し、そのデータを文字情報に変換した後、その文字情報を利用して、情報読取装置２１０のペン先の接触位置に応じたコマンドを実行することによって、ユーザが、情報読取装置２１０のペン先で表示画面をタッチして、情報読取装置２１０で読み取った情報を情報処理制御装置２２０に直接入力しているような感覚を味わうことが可能となる。また、この図９に示すフローチャートに従った処理によっても、図５に示すフローチャートの処理と同様に、ユーザは、印刷物上から読み込んだ文字情報やバーコード情報のコンテンツをあたかも１つのオブジェクトであるかのように感じることができ、印刷物上に平面的に印刷された読み取り対象に含まれるコンテンツを、１つのオブジェクトとして印刷物上からつまみ出して、情報処理制御装置１２０に移動する感覚を実感することができる。
【００５１】
また、図１０は、本発明の第２の実施の形態におけるコマンド実行時の情報読取装置の動作を示すフローチャートである。情報読取装置２１０は、図９のステップＳ９０５で情報処理制御装置２２０から送られてきたデータの送信の要求を受信して（ステップＳ１００１）、要求されたデータを情報処理制御装置２２０に送信し（ステップＳ１００２）、情報処理制御装置２２０に送信したデータをメモリ２１７から削除し（ステップＳ１００３）、このデータの削除に応じて、ユーザに対して視覚的、聴覚的、触覚的な報知を行う（ステップＳ１００４）。
【００５２】
以上の図１０に示す処理によって、情報処理制御装置２２０で文字情報が使用及び削除されたことが情報読取装置２１０にフィードバックされて、情報読取装置２１０において、文字情報が使用及び削除されたことが判るような報知をユーザに対して行うことが可能となる。
【００５３】
上記の第１及び第２の実施の形態の大きな差異は、本発明の第１の実施の形態では、情報読み取り時に情報読取装置１１０から情報処理制御装置１２０に対してデータが送信される一方、本発明の第２の実施の形態では、情報読み取り時にはデータが情報読取装置２１０内のメモリ２１７に格納され、コマンド実行時に情報処理制御装置２２０に対してデータが送信されるという点である。したがって、本発明の第１の実施の形態で説明した情報読取・処理システムは、例えば、ある限られた通信範囲（例えば、車両内など）で用いられることが望ましい。
【００５４】
また、本発明の第２の実施の形態で説明した情報読取・処理システムでは、情報読取装置２１０による情報読み取り時に、情報読取装置２１０が情報処理制御装置２２０の通信範囲外に存在するような場合や情報処理制御装置２２０の電源が落ちている場合などでも、情報読取装置２１０による情報読み取りを行うことが可能であり、複数台の情報処理制御装置２２０が存在している場合でも、所望の１台に対して選択的に情報を供給し、コマンドを実行させることが可能である。なお、情報の読み取りに成功する場合には、上記の本発明の第１及び第２の実施の形態の情報読取・処理システムは、ユーザに対して同一の振る舞いを行い、第２の実施の形態においても、図１１に示すものと同一の動作が行われる。
【００５５】
また、上記の本発明の第１及び第２の実施の形態の情報読取・処理システムを組み合わせることも可能である。すなわち、上記第１の実施の形態に示す構成の情報処理制御装置１２０と、上記第２の実施の形態に示す構成の情報読取装置２１０とを用い、情報読取装置２１０は情報読み取り時に情報処理制御装置１２０に対して読み取ったデータの送信を試み、この送信に失敗した場合には、情報読取装置２１０内に設けられたメモリ２１７にデータを格納しておき、コマンド実行時に再度データの送信を試みるよう構成することも可能である。
【００５６】
また、上記本発明の第１及び第２の実施の形態では、情報処理制御装置１２０、２２０に情報解析変換手段１２２が設けられており、情報読取装置１１０、２１０から情報処理制御装置１２０、２２０に対してデータが伝送され、データから文字情報などへの変換が情報処理制御装置１２０、２２０内で行われるよう構成されているが、情報読取装置１１０、２１０内でデータから文字情報などへの変換を行い、変換後に生成される文字情報などが、情報読取装置１１０、２１０から情報処理制御装置１２０、２２０に対して伝送されるよう構成することも可能である。
【００５７】
また、上記本発明の第１及び第２の実施の形態では、情報処理制御装置１２０、２２０がカーナビゲーション装置と一体となっている態様について主に説明したが、情報処理制御装置１２０、２２０が、例えば、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｔａｎｃｅ）、携帯電話機などに組み込まれ、これらの機器における情報入力及びコマンド実行に用いられるようにすることも可能である。
【００５８】
以上、説明したように、本発明の情報読取・処理システム及び情報処理制御装置によれば、ユーザが、印刷物上の文字情報やバーコード情報などを読み取ったり、読み取った情報を利用して所定の処理を行ったりする動作を実感できるようになり、ユーザが、印刷物上の文字情報やバーコード情報のコンテンツを、あたかも１つのオブジェクトとして実感し、そのコンテンツを印刷物上からつまみ出して移動する感覚を実感できるようになる。
【図面の簡単な説明】
【図１】本発明の第１の実施の形態における情報読取・処理システムの構成を示すブロック図である。
【図２】本発明の第１の実施の形態における情報読取装置の外観を示す模式的な斜視図である。
【図３】本発明の第１の実施の形態における情報読み取り時の情報読取装置の動作を示すフローチャートである。
【図４】本発明の第１の実施の形態における情報読み取り時の情報処理制御装置の動作を示すフローチャートである。
【図５】本発明の第１の実施の形態におけるコマンド実行時の情報処理制御装置の動作を示すフローチャートである。
【図６】本発明の第１の実施の形態におけるコマンド実行時の情報読取装置の動作を示すフローチャートである。
【図７】本発明の第２の実施の形態における情報読取・処理システムの構成を示すブロック図である。
【図８】本発明の第２の実施の形態における情報読み取り時の情報読取装置の動作を示すフローチャートである。
【図９】本発明の第２の実施の形態におけるコマンド実行時の情報処理制御装置の動作を示すフローチャートである。
【図１０】本発明の第２の実施の形態におけるコマンド実行時の情報読取装置の動作を示すフローチャートである。
【図１１】本発明の第１の実施の形態における情報読み取り時の動作及びコマンド実行時の動作を示す模式図である。
（Ａ）情報読取装置を用いて印刷物上の文字情報を読み取っている様子を模式的に示す図である。
（Ｂ）情報読取装置が所定の発光及び所定の振動を行って、ユーザに対して情報の読み取りが完了したことをユーザに報知している様子を模式的に示す図である。
（Ｃ）情報読取装置を、情報処理制御装置の表示画面上に接触させている様子を模式的に示す図である。
（Ｄ）情報処理制御装置が経路設定を行い、表示画面上に目的地までの経路を表示している様子を模式的に示す図である。
【符号の説明】
１１０、２１０  情報読取装置
１１１  光学情報読取手段
１１２、１２１  無線通信手段
１１３  操作手段
１１４  視覚情報表示手段
１１５  聴覚情報発生手段
１１６  触覚情報発生手段
１２０、２２０  情報処理制御装置
１２２  情報解析変換手段
１２３、２１７  メモリ（情報格納手段）
１２４  表示手段
１２５  接触位置検出手段
１２６  コマンド解析実行手段
１５０  コマンド実行対応表示箇所
２０１  読取センサ部
２０３  操作ボタン
２０４  ＬＥＤ
【図１】
2004303020.tif 000003
【図２】
2004303020.tif 000004
【図３】
2004303020.tif 000005
【図４】
2004303020.tif 000006
【図５】
2004303020.tif 000007
【図６】
2004303020.tif 000008
【図７】
2004303020.tif 000009
【図８】
2004303020.tif 000010
【図９】
2004303020.tif 000011
【図１０】
2004303020.tif 000012
【図１１】
2004303020.tif 000013